(57)【要約】【課題】ページが勝手にめくれ難くなる本保持具を提供する。【解決手段】本保持具１は、開いた本９の背に沿って延びて本９の背を弾性支持する背支持部２と、背支持部２の一端から両側に延びて本９の表紙を支持する一対の表紙支持部３と、表紙支持部３から背支持部２の裏側に延びた第１の延出部４と、第１の延出部４から背支持部２の延設方向に延びた第２の延出部５と、第２の延出部５から背支持部２の表側に延びた第３の延出部６と、第３の延出部６から延びて本９の開いた左右のページ９１，９２を押さえる一対の押さえ部７とを備えている。背支持部２は、表紙支持部３から本９の背に沿って延びる一対の外側支持部２１と、外側支持部２１の端部から外側支持部２１同士の間を表紙支持部３側に向けて延びた内側支持部２２とを備えている。【選択図】図２
2014172198.tif 000002
【特許請求の範囲】
【請求項１】
開いた本の背に沿って延びて該本の背を弾性支持する背支持部と、
該背支持部の一端から両側に延びて前記本の表紙を支持する一対の表紙支持部と、
該表紙支持部から前記背支持部の裏側に延びた第１の延出部と、
該第１の延出部から前記背支持部の延設方向に延びた第２の延出部と、
該第２の延出部部から前記背支持部の表側に延びた第３の延出部と、
該第３の延出部から延びて前記本の開いた左右のページを押さえる一対の押さえ部とを備えることを特徴とする本保持具。
【請求項２】
前記背支持部は、前記表紙支持部から前記本の背に沿って延びる一対の外側支持部と、
該外側支持部の端部から前記外側支持部同士の間を前記表紙支持部側に向けて延びた内側支持部とを備えていることを特徴とする請求項１記載の本保持具。
【請求項３】
前記背支持部、前記表紙支持部、前記第２の延出部、及び前記押さえ部には、滑り止め部材が取り付けられていることを特徴とする請求項１又は２に記載の本保持具。
【発明の詳細な説明】
【技術分野】
【０００１】
本発明は、本保持具に関する。
【背景技術】
【０００２】
下記の特許文献１の本保持具は、開いた本の背の直近の両側を下から受ける支持部材と、本の左右の頁の外側の端部に上から当接する押さえ部材と、支持部材及び押さえ部材を互いに連結する連結部材とを備えている。この本保持具では、本の左右の頁の外側の端部を押さえ部材で押さえ付けることで、本を開いた状態に保持している。
【先行技術文献】
【特許文献】
【０００３】
【特許文献１】特開平１１−２２７３６２号公報
【発明の概要】
【発明が解決しようとする課題】
【０００４】
しかしながら、上記本保持具では、押さえ部材は本の左右の頁に上から当接させているにすぎず、本自体の弾性復元力を利用して本を開いた状態に保持していたため、押さえ部材がページの端縁から外れてページが勝手にめくれてしまう虞があった。
【０００５】
本発明は、このような状況に鑑みてなされたものであり、上述の課題を解消することを課題とする。
【課題を解決するための手段】
【０００６】
本発明の本保持具は、開いた本の背に沿って延びて該本の背を弾性支持する背支持部と、該背支持部の一端から両側に延びて前記本の表紙を支持する一対の表紙支持部と、該表紙支持部から前記背支持部の裏側に延びた第１の延出部と、該第１の延出部から前記背支持部の延設方向に延びた第２の延出部と、該第２の延出部部から前記背支持部の表側に延びた第３の延出部と、該第３の延出部から延びて前記本の開いた左右のページを押さえる一対の押さえ部とを備えることを特徴とする。
また、本発明は、前記背支持部は、前記表紙支持部から前記本の背に沿って延びる一対の外側支持部と、該外側支持部の端部から前記外側支持部同士の間を前記表紙支持部側に向けて延びた内側支持部とを備えていることを特徴とする。
また、本発明は、前記背支持部、前記表紙支持部、前記第２の延出部、及び前記押さえ部には、滑り止め部材が取り付けられていることを特徴とする。
【発明の効果】
【０００７】
本発明によれば、本を支持した背支持部の弾性支持力を利用して、本を押さえ部に押し付けることができ、押さえ部材がページの端縁から外れ難くすることが可能となる。
【図面の簡単な説明】
【０００８】
【図１】本発明の実施の形態に係る本保持具を示す斜視図である。
【図２】図１の本保持具が本を保持した状態を示す斜視図である。
【図３】図２の本のページをめくる際の動作を示す斜視図である。
【図４】本発明の実施の形態に係る本保持具の使用方法の他の例を示す斜視図である。
【図５】図４の本保持具が本を保持した状態を示す斜視図である。
【図６】図５の本のページをめくる際の動作を示す斜視図である。
【発明を実施するための形態】
【０００９】
まず、図１を参照して、本発明の実施の形態に係る本保持具の構成について詳しく説明する。
図１，２に示すように、本実施形態の本保持具１は、外周面が樹脂で被覆された１本の針金を折り曲げて形成されている。本保持具１は、開いた本９の背に沿って延びて本９（図２参照）の背を弾性支持する背支持部２と、本９の表紙を支持する一対の表紙支持部３と、表紙支持部３から延びた第１の延出部４と、第１の延出部４から延びた第２の延出部５と、第２の延出部５から延びた第３の延出部６と、本９の開いた左右のページ９１，９２を押さえる一対の押さえ部７とを備えている。
【００１０】
背支持部２は、本９の背に沿って延びる一対の外側支持部２１と、外側支持部２１の一端から外側支持部２１同士の間を外側支持部２１の他端側に向けて延びた内側支持部２２とを備えている。外側支持部２１は、本９の背よりも広い間隔を互いの間に設けて配置されており、互いに平行に延びている。
【００１１】
内側支持部２２は、外側支持部２１の他端から外側支持部２１の配置面に沿って内側に約１８０度屈曲した後、そのまま外側支持部２１同士の間を外側支持部２１と平行に延びている。また、内側支持部２２は、外側支持部２１に接続された端部と反対側の端部で外側支持部２１の配置面に沿って内側に約９０度屈曲した後、互いの端部同士が接続されている。
【００１２】
表紙支持部３は、背支持部２が備える外側支持部２１の他端から外側支持部２１の配置面に沿って外側に向けて約９０度屈曲した後、そのまま外側支持部２１の外側に向けて直線状に延びている。第１の延出部４は、表紙支持部３の端部から背支持部２の配置面に対して約９０度の角度で背支持部２の裏側に屈曲した後、そのまま背支持部２の裏側向けて直線状に延びている。
【００１３】
第２の延出部５は、第１の延出部４の端部から第１の延出部４に対して約９０度の角度で背支持部２の延設方向に屈曲した後、そのまま背支持部２の延設方向に沿って直線状に延びている。第２の延出部５は、背支持部２よりも長く形成されている。
【００１４】
第３の延出部６は、第２の延出部５の端部から、第２の延出部５に対して約９０度の角度で背支持部２の表側に屈曲した後、そのまま背支持部２の表側に向けて直線状に延びている。背支持部２の表側にまで延びた第３の延出部６の端部は、背支持部２よりもの背支持部２の表側に位置している。
【００１５】
押さえ部７は、第３の延出部６の端部から、第３の延出部６に対して約９０度の角度で第２の延出部５の延設方向に沿うように屈曲した後、そのまま第２の延出部５の延設方向に沿って直線状に延びている。押さえ部７の先端は、背支持部２が備える外側支持部２１の一端よりも外側支持部２１の他端側に延びている。
【００１６】
背支持部２、表紙支持部３、第２の延出部５、及び押さえ部７には、滑り止め部材８１〜８５が取り付けられている。滑り止め部材８１〜８５は、ゴム等の弾性材で形成されており、円筒状を呈している。滑り止め部材８１は、背支持部２が備える外側支持部２１の他端部に外環されて取り付けられている。滑り止め部材８２は、表紙支持部３に外環されて取り付けられている。滑り止め部材８３，８４は、第２の延出部５の両端部に外環されて取り付けられている。滑り止め部材８５は、押さえ部７に外環されて取り付けられている。
【００１７】
次に、本保持具１の使用方法の一例を図２，３を参照して説明する。
本保持具１は、図２に示すように、机面のような本９の載置面上に第２の延出部５が載置された状態で、背支持部２に本９の背が配置され、本９の開いた表紙の天側が表紙支持部３に配置される。そして、本９の開いた左右のページ９１，９２の地側が押さえ部７で押さえられる。
【００１８】
背支持部２は、２本の内側支持部２２で本９の背が下側から支持されると共に、２本の外側支持部２１で本９の背が両側から挟みこまれる。これにより、上下及び左右方向への本９の位置決めが行われる。このため、本９の背が倒れて本９が左右にずれ、押さえ部７がページ９１，９２の端縁から外れてページ９１，９２が勝手にめくれてしまうのが防止されている。
【００１９】
また、押さえ部７が本９の開いた左右のページ９１，９２の端部に正確に当接するようになるので、押さえ部７の所要長さを短くすることができ、それによって押さえ部７が文字を隠すことも少なくなる。
【００２０】
背支持部２は、表紙支持部３、第１の延出部４、及び第２の延出部５により机面から離間した状態で支持されており、押さえ部７側の端部が上下方向に揺動可能となっている。これにより、背支持部２が表紙支持部３から裏側に撓んで、本９の左右のページ９１，９２と押さえ部７との間に隙間ができることが可能となっている。このため、図３に示すように、ページ９２をめくる際に押さえ部７との間からページ９２を引き出したり、押さえ部７との間にページ９２を差し込むのを容易に行うことができる。
【００２１】
本実施形態によれば、本９の背を支持する背支持部２が一端を表紙支持部３で支持されていることから、本９を支持した背支持部２の弾性支持力を利用して、本９を押さえ部７に押し付けることができ、本９自体の弾性復元力のみを利用した従来の本保持具に比べて、押さえ部７がページ９１，９２の端縁から外れ難くすることが可能となる。
【００２２】
また、本実施形態によれば、本９を背支持部２に押し付けると、背支持部２が撓むことで押さえ部７と本９との間に簡単に隙間が設けられ、本９のページ９１，９２をめくる際に押さえ部７との間からページ９１，９２を引き出したり、押さえ部７との間にページ９１，９２を差し込むのを容易に行うことができる。
【００２３】
また、本実施形態によれば、背支持部２、表紙支持部３、第２の延出部５、及び押さえ部７に滑り止め部材８１〜８５が取り付けられているので、机面のような本９の載置面上で本保持具１が移動したり、本保持具１上で本９が移動するのを効果的に防止できる。
【００２４】
なお、上記実施形態では、本保持具１を本９の載置面上に第２の延出部５を載置して用いた場合について説明したが、図４に示すように第１の延出部４を本９の載置面上に載置して用いることもできる。この場合、第２の延出部５を壁に立て掛ける等することで、本保持具１を本９の載置面上に立てた状態で安定させられる。
【００２５】
このようにして本保持具１が用いられる場合でも、図５に示すように、背支持部２に本９の背が配置され、本９の開いた表紙の天側が表紙支持部３に配置され、本９の開いた左右のページ９１，９２の地側が押さえ部７で押さえられる。
【００２６】
この状態でも、本９が押さえ部７で押さえられることで内側支持部２２で本９の背が下側から支持され、外側支持部２１で本９の背が両側から挟みこまれ、前後及び左右方向への本９の位置決めが行われる。また、背支持部２の押さえ部７側の端部が上下方向に揺動可能となっており、本９の左右のページ９１，９２と押さえ部７との間に隙間ができるようになっている。このため、図６に示すように、ページ９２をめくる際に押さえ部７との間からページ９２を引き出したり、押さえ部７との間にページ９２を差し込むのを容易に行うことができる。このように、上記実施形態と同様の作用効果を得ることができる。
【００２７】
また、上記実施形態では、外周面が樹脂で被覆された１本の針金を折り曲げて本保持具１が形成されている場合について説明したが、針金の外周面が樹脂で被覆されていなくてもよい。また、円筒状のパイプを折り曲げて本保持具１を形成していもよい。
【００２８】
また、上記実施の形態の構成及び動作は例であって、本発明の趣旨を逸脱しない範囲で適宜変更して実行することができることは言うまでもない。
【符号の説明】
【００２９】
１  本保持具
２  背支持部
３  表紙支持部
４  第１の延出部
５  第２の延出部
６  第３の延出部
７  押さえ部
２１  外側支持部
２２  内側支持部
８１〜８５  滑り止め部材
９  本
９１，９２  ページ
【図１】
2014172198.tif 000003
【図２】
2014172198.tif 000004
【図３】
2014172198.tif 000005
【図４】
2014172198.tif 000006
【図５】
2014172198.tif 000007
【図６】
2014172198.tif 000008